(57)【特許請求の範囲】
【請求項１】
鉄筋等の支持棒材にセパレータを固定するためのセパレータ固定用部材において、
鋼管等の支持基材の表面に外周面が固定された支持棒材と互いに係合するジョイント金具と、該ジョイント金具に枢支されるとともに前記セパレータの一端が固定されるセパレータ保持部とを備え、
前記ジョイント金具は、前記鋼管等の支持基材の表面に外周面が固定された支持棒材が嵌り込む半円状の半円状凹部と、該半円状凹部と連通して開口部より前記鋼管等の支持基材の表面に外周面が固定された支持棒材を前記半円状凹部側にガイドする受け入れ部とをもって構成された切欠き部を有し、
前記受け入れ部の内側縁には、前記支持棒材を前記半円状凹部側に押圧する固定用具を出し入れ可能に突出させ、前記支持基材の外側にセパレータを固定できるようにしたことを特徴としてなるセパレータ固定用部材。
【請求項２】
前記受け入れ部は、前記半円状凹部の一方の開口縁部を要とする扇型状に形成された請求項１に記載のセパレータ固定用部材。
【請求項３】
前記ジョイント金具には、前記セパレータ保持部が枢支される枢支孔が前記支持棒材の軸心から前記セパレータの軸心と直交する方向に間隔を隔てて形成されるとともに、前記切欠き部の開口縁部が支持棒材を支持させた支持基材の表面に当接するように形成された請求項１又は２のいずれか１項に記載のセパレータ固定用部材。
【請求項４】
前記ジョイント金具は、前記切欠き部開口縁部に該開口縁より外向きに傾斜した傾斜部が形成された請求項１〜３のいずれか１項に記載のセパレータ固定用部材。
【請求項５】
前記ジョイント金具は、前記半円状凹部の一方の縁部より前記半円の円周方向に張り出した形状の係合部を備えた請求項１〜４のいずれか１項に記載のセパレータ固定用部材。
【発明の詳細な説明】
【技術分野】
【０００１】
本発明は、鉄筋等に型枠を支持させるためのセパレータを鉄筋等に固定するためのセパレータ固定用部材であって、鋼管等の支持基材の表面に固定された鉄筋等の支持棒材にセパレータを固定するためのセパレータ固定用部材に関する。
【背景技術】
【０００２】
従来、型枠内にコンクリートや樹脂材等の充填材を充填し、その型枠内で充填材を養生硬化させることにより構築される構造体においては、一方の型枠用部材又は内部に配置される鉄筋等にセパレータと呼ばれる棒材の一端側を支持させ、他端側に型枠用の板材（コンパネ）を固定することにより鉄筋等の外側に一定の間隔を置いて型枠を設置するとともに、型枠内にコンクリート等を充填させた際に生じる圧力により型枠が変形しないようにしている。
【０００３】
このセパレータは、従来、溶接により直接鉄筋等の支持棒材に固定されていたが、近年では、固定用部材にセパレータの一端を固定し、この固定用部材を鉄筋等に固定することにより固定用部材を介してセパレータを鉄筋に固定するようになっている（例えば、特許文献１）。
【０００４】
固定用部材には、例えば図９に示すＵ字型の固定金具１０７を使用し、この固定金具１０７を鉄筋等の支持棒材１０５に係合させるとともに互いに対向する板部１０２，１０２間にセパレータ１００の一端を挿入し、それを固定用ボルト１０３により締めつけることにより鉄筋等の支持棒材１０５に固定するようになっている。尚、図中符号１０１は支持棒材１０５が支持される支持基材であって、支持棒材１０５はスペーサ１０６を介して支持基材１０１に支持されている。
【先行技術文献】
【特許文献】
【０００５】
【特許文献１】特開２００６−２５７８６２号公報
【発明の概要】
【発明が解決しようとする課題】
【０００６】
しかしながら上述の如き従来の技術では、固定用部材の取り付けが煩雑で施工性に問題があり、特に大型構造物の場合には、セパレータの取付け箇所も多いので工数が増大し、それに伴いコストも増大するという問題がある。
【０００７】
また、固定用部材を鉄筋等に固定した後はセパレータの角度を調整することができず型枠の位置決め作業の作業性が悪いという問題があった。
【０００８】
更に、取り付け作業を行う側とは反対側の部分にスペースが乏しい場合、即ち、鉄筋等の支持棒材とそれを支持する支持基材との間にスペースがない場合、固定用金具を取り付けることができない、或いは取り付け作業を行うことが困難であるという問題があった。
【０００９】
本発明は、このような従来の問題に鑑み、施工現場において容易且つ安定した状態にセパレータを鉄筋等に固定することができるセパレータ固定用部材の提供を目的としてなされたものである。
【課題を解決するための手段】
【００１０】
上述の如き従来の問題を解決し、所期の目的を達成するための請求項1に記載の発明の特徴は、鉄筋等の支持棒材にセパレータを固定するためのセパレータ固定用部材において、鋼管等の支持基材の表面に外周面が固定された支持棒材と互いに係合するジョイント金具と、該ジョイント金具に枢支されるとともに前記セパレータの一端が固定されるセパレータ保持部とを備え、前記ジョイント金具は、前記鋼管等の支持基材の表面に外周面が固定された支持棒材が嵌り込む半円状の半円状凹部と、該半円状凹部と連通して開口部より前記鋼管等の支持基材の表面に外周面が固定された支持棒材を前記半円状凹部側にガイドする受け入れ部とをもって構成された切欠き部を有し、前記受け入れ部の内側縁には、前記支持棒材を前記半円状凹部側に押圧する固定用具を出し入れ可能に突出させ、前記支持基材の外側にセパレータを固定できるようにしたことにある。
【００１１】
請求項２に記載の発明の特徴は、請求項１の構成に加え、前記受け入れ部は、前記半円状凹部の一方の開口縁部を要とする扇型状に形成されたことにある。
【００１２】
請求項３に記載の発明の特徴は、請求項１又は２のいずれか１項の構成に加え、前記ジョイント金具には、前記セパレータ保持部が枢支される枢支孔が前記支持棒材の軸心から前記セパレータの軸心と直交する方向に間隔を隔てて形成されるとともに、前記切欠き部の開口縁部が支持棒材を支持させた支持基材に当接するように形成されたことにある。
【００１３】
請求項４に記載の発明の特徴は、請求項１〜３のいずれか１項の構成に加え、前記ジョイント金具は、前記切欠き部開口縁部に該開口縁より外向きに傾斜した傾斜部が形成されたことにある。
【００１４】
請求項５に記載の発明の特徴は、請求項１〜４のいずれか１項の構成に加え、前記ジョイント金具は、前記半円状凹部の一方の縁部より前記半円の円周方向に張り出した形状の係合部を備えたことにある。
【発明の効果】
【００１５】
本発明に係るセパレータ固定用部材は、上述したように、鉄筋等の支持棒材にセパレータを固定するためのセパレータ固定用部材において、鋼管等の支持基材の表面に外周面が固定された支持棒材と互いに係合するジョイント金具と、該ジョイント金具に枢支されるとともに前記セパレータの一端が固定されるセパレータ保持部とを備え、前記ジョイント金具は、前記鋼管等の支持基材の表面に外周面が固定された支持棒材が嵌り込む半円状の半円状凹部と、該半円状凹部と連通して開口部より前記鋼管等の支持基材の表面に外周面が固定された支持棒材を前記半円状凹部側にガイドする受け入れ部とをもって構成された切欠き部を有し、前記受け入れ部の内側縁には、前記支持棒材を前記半円状凹部側に押圧する固定用具を出し入れ可能に突出させ、前記支持基材の外側にセパレータを固定できるようにしたことを特徴としてなるセパレータ固定用部材ことにより、支持基材の表面に固定された鉄筋等にセパレータを容易且つ安定した状態に固定することができる。
【００１６】
また本発明において、前記受け入れ部は、前記半円状凹部の一方の開口縁部を要とする扇型状に形成されたことにより、支持部材に容易に固定することができる。
【００１７】
更にまた本発明において、前記ジョイント金具には、前記セパレータ保持部が枢支される枢支孔が前記支持棒材の軸心から前記セパレータの軸心と直交する方向に間隔を隔てて形成されるとともに、前記切欠き部の開口縁部が支持棒材を支持させた支持基材の表面に当接するように形成されたことにより、セパレータに作用する引張力に対する高い耐力が得られ、ジョイント金具の支持棒材に対するズレや脱落を防止することができる。
【００１８】
また、本発明において、前記ジョイント金具は、前記切欠き部開口縁部に該開口縁より外向きに傾斜した傾斜部が形成されたことにより、多種の支持基材の表面形状に対応することができる。
【００１９】
更にまた本発明において、前記ジョイント金具は、前記半円状凹部の一方の縁部より前記半円の円周方向に張り出した形状の係合部を備えたことにより、ジョイント金具が支持棒材に対して十分な係り代を得ることができる。
【図面の簡単な説明】
【００２０】
【図１】本発明に係るセパレータ固定用部材を示す正面図である。
【図２】同上の左側面図である。
【図３】図１中のジョイント金具を示す一部破断正面図である。
【図４】同上のセパレータ固定用部材の使用状態を示す正面図である。
【図５】同上のセパレータ固定用部材を使用した型枠設置の概略を示す平面図である。
【図６】同上のセパレータ固定用部材を使用した型枠設置の他の一例の概略を示す平面図である。
【図７】同上のセパレータ固定用部材を使用した型枠設置の他の一例の概略を示す平面図である。
【図８】従来のセパレータ固定用部材の一例を示す側面図である。
【発明を実施するための形態】
【００２１】
次に、本発明の実施の態様を図１〜図７に示す実施例に基づいて説明する。尚、図中符号Ａは鉄筋等の支持棒材、Ｂは支持棒材Ａが支持される支持基材である。
【００２２】
支持棒材Ａは、鋼管等からなる支持基材Ｂの表面に外周面が固定されている。
【００２３】
セパレータ固定用部材１は、支持棒材Ａと互いに係合するジョイント金具３と、ジョイント金具３に枢支されたセパレータ保持部４とを備え、セパレータ保持部４にセパレータ２の一端を固定することによりセパレータ２が支持棒材Ａに回動可能に支持されるようになっている。
【００２４】
ジョイント金具３は、一方の側縁側に開口した切欠き部５を有し、この切欠き部５内に支持棒材Ａの外周部が嵌り込むようになっている。
【００２５】
切欠き部５は、半円状凹部６と、半円状凹部６と連通した受け入れ部７とをもって構成され、全体としてジョイント金具３の一方の側縁に開口した半割ハート型状となっている。
半円状凹部６は、半円状に形成され、この凹部６に支持棒材Ａの外周部の半体が挿入されるようになっている。
【００２６】
また、半円状凹部６は、半円状の直径方向を切り欠き部５の開口部側から斜め下向きに傾けた方向に向けて形成され、支持棒材Ａの上側部に少なくとも半円状凹部６の一部が被さるようになっている。
【００２７】
この半円状凹部６の半円状の一方の縁部には、半円状の円周方向に向けて張り出した係合部８が形成され、この係合部８が支持棒材Ａの外周部に係合するようになっている。
【００２８】
受け入れ部７は、半円状凹部６と連通して形成され、切欠き部５の開口部より挿入された支持棒材Ａを半円状凹部６側にガイドするような形状となっている。
【００２９】
この受け入れ部７は、半円状凹部６の一方の縁部、即ち係合部８側の縁部を要とした扇型状に形成され、係合部８の先端から受け入れ部７の内側面までの距離は、支持棒材Ａの直径より大きく形成されている。
【００３０】
また、この受け入れ部７の内側面より半円状凹部６側に向けて出し入れ可能に固定用具９が突出し、切欠き部５内に挿入された支持棒材Ａを半円状凹部６側に向けて押圧するようになっている。
【００３１】
この固定用具９には、例えばジョイント金具３内に貫通して形成されたねじ孔１０に螺合させた固定用ボルトを使用し、この固定用ボルト９をねじ孔１０内で進退させることにより固定用ボルト９の先端部を受け入れ部の内側面より突出させ又はねじ孔１０内に引き込ませるようになっている。
【００３２】
また、ジョイント金具３の切欠き部５が開口された側の面は、開口縁より外側に向けて斜めに傾斜した形状の傾斜部１１ａ，１１ｂが形成され、支持基材Ｂの表面形状に応じて支持基材Ｂの表面に当接できるようになっている。
【００３３】
セパレータ保持部４は、本体部１２の上面部より立ち上げた形状の枢支用立ち上げ部１３を有し、枢支用立ち上げ部１３に形成された貫通孔１４に通した枢支用ボルト１５をジョイント金具３に形成された枢支孔１６に螺合させている。
【００３４】
セパレータ保持部４は、この枢支用ボルト１５を締めつけることによりジョイント金具３に対し固定され、枢支用ボルト１５を緩めることにより回動することができるようになっている。
【００３５】
尚、枢支孔１６は、支持棒材Ａの軸心からセパレータ２の軸心、即ち引張力が作用する方向と直交する方向に間隔を隔てて形成されている。
【００３６】
また、本体部１２の上面は、円弧状に形成されており、セパレータ保持部４がジョイント金具３に対し回動できるようになっている。
【００３７】
この本体部１２には、セパレータ２の端部を固定する固定手段として固定用ねじ孔１７が形成されており、この固定用ねじ孔１７にセパレータ２の端部に形成されたボルト部２ａを螺合させることによりセパレータ２がセパレータ保持部４に固定されるようになっている。
【００３８】
この固定用ねじ孔１７は、その中心軸の延長線上にジョイント金具３の枢支孔１６が位置するように形成されている。
【００３９】
このセパレータ固定用部材１を支持棒材Ａに取り付けるには、固定用ボルト９の先端をねじ孔１０内に収容しておき、その状態で支持棒材Ａにジョイント金具３を係合させ、固定用ボルト９を螺進させて受け入れ部７の内側面より半円状凹部側６に突出させることにより固定用ボルト９の先端が支持棒材Ａの表面を半円状凹部側に押圧し、これにより支持棒材Ａに対しジョイント金具３が固定される。
【００４０】
その際、支持棒材Ａが支持基材Ｂに直接固定されているので、ジョイント金具３の傾斜部１１ａ，１１ｂが支持基材Ｂの表面に当接し、自動的に位置決めがなされる。
【００４１】
次に、セパレータ保持部４の位置を型枠Ｃの設置位置等に合わせて回動させて調整し、調整を終えたら枢支用ボルト１５を締めつけ、ジョイント金具３に対しセパレータ保持部４を回動不能に固定する。
【００４２】
このように構成されたセパレータ固定用部材１では、セパレータ２にその軸心方向で引張力が作用すると、枢支孔１６が支持棒材Ａの軸心から引張力が作用する方向と直交する方向に間隔を隔てて形成されているため、支持棒材Ａを中心として回転モーメントが生じる。
【００４３】
しかし、図４に示すように、ジョイント金具３の開口側面下部１１ｂが支持基材Ｂの表面に当接しているため支持基材Ｂからの反力によりジョイント金具３が支持棒材Ａに対して回転するのが規制され、ジョイント金具３の支持棒材Ａに対する係合状態が維持されるようになっている。
【００４４】
また、このセパレータ固定用部材１，１...を使用することにより、図５〜７に示すように、鋼管材からなる支持基材Ｂの外側に型枠Ｃを設置することができる。
【００４５】
尚、上述の実施例では、セパレータをセパレータ保持部に螺合させることにより固定した例について説明したが、ピン止め等のその他の固定手段により固定するようにしてもよく、セパレータとセパレータ保持部とを一体に形成してもよい。
【符号の説明】
【００４６】
Ａ  支持棒材
Ｂ  支持基材
Ｃ  型枠
Ｄ  鉄筋構造体
１  セパレータ固定用部材
２  セパレータ
３  ジョイント金具
４  セパレータ保持部
５  切欠き部
６  半円状凹部
７  受け入れ部
８  係合部
９  固定用具（固定用ボルト）
１０  ねじ孔
１１  傾斜部
１２  本体部
１３  枢支用立ち上げ部
１４  貫通孔
１５  枢支用ボルト
１６  枢支孔
１７  固定用ねじ孔
【図１】
0005527697.tif 000002
【図２】
0005527697.tif 000003
【図３】
0005527697.tif 000004
【図４】
0005527697.tif 000005
【図５】
0005527697.tif 000006
【図６】
0005527697.tif 000007
【図７】
0005527697.tif 000008
【図８】
0005527697.tif 000009